(57)【特許請求の範囲】
【請求項１】
照明負荷およびこれを内部に収納するセードを備えた照明器具と、センサ電子ブロックとにより構成され、センサ電子ブロック全体がセード内部に収納される照明装置であって、センサ電子ブロックは、照明負荷の制御に利用される明るさセンサと、明るさセンサを一の面に実装するプリント基板と、このプリント基板の一の面に実装される熱線センサと、この熱線センサに組み付けられる熱線センサ用レンズと、明るさセンサおよび熱線センサを内部に収納する外郭とを備え、この外郭は、一の方向に開口を有する箱状に形成され明るさセンサの検知面を一の方向に向けてこれを収納するためのケースと、このケースの開口を閉塞する箱状であり底部に孔が形成されたカバーとにより構成され、カバーの孔から熱線センサ用レンズが外郭の外部に露出し、ケースおよびカバーのうち、少なくともカバーが透明になっていることを特徴とする照明装置。
【請求項２】
外郭は、熱線センサの人体検知範囲を所定範囲内の任意の方向に向けるための可動機構を介して照明器具に取り付けられ、可動機構を構成する機構部が外郭に設けられていることを特徴とする請求項１記載の照明装置。
【請求項３】
照明器具は、照明負荷が取り付けられる器具本体と、これに取り付けられ照明負荷を覆う不透明で透光性のセードとにより構成され、センサ電子ブロックはセード内部に収納され器具本体に取り付けられることを特徴とする請求項１記載の照明装置。
【請求項４】
センサ電子ブロックは、プリント基板の一の面に実装され点灯モードを示す発光素子を有し、照明器具は、照明負荷が取り付けられる器具本体と、これに取り付けられ照明負荷を覆う不透明で透光性のセードとにより構成され、センサ電子ブロックはセード内部に収納され器具本体に取り付けられることを特徴とする請求項１記載の照明装置。
【請求項５】
点灯モードを示す発光素子は、明るさセンサを除く電子部品と外郭とによって囲まれるようにプリント基板に実装されていることを特徴とする請求項４記載の照明装置。
【請求項６】
センサ電子ブロックは、セードの中央付近が焦点となるように、発光素子からの点灯モードを示すための光を集光する集光レンズを有することを特徴とする請求項４記載の照明装置。
【請求項７】
集光レンズはカバーと一体に形成されていることを特徴とする請求項６記載の照明装置。
【請求項８】
集光レンズは熱線センサ用レンズと一体に形成されていることを特徴とする請求項６記載の照明装置。
【請求項９】
熱線センサ用レンズは着色されていることを特徴とする請求項１記載の照明装置。
【発明の詳細な説明】
【０００１】
【発明の属する技術分野】
本発明は、例えば人体の動きを感知する熱線センサと周囲の明るさを検知する明るさセンサとを備えるセンサ電子ブロックを用いて、照明負荷の点灯を制御する照明装置に関するものである。
【０００２】
【従来の技術】
図８に熱線センサおよび明るさセンサを備える従来の照明装置の断面図を示す。この天井取付型の照明装置は、器具本体１１およびセード１２PAにより構成される照明器具１PAと、この照明器具１PAに取り付けられ、熱線センサ、明るさセンサおよび点灯モード表示用の発光素子などを含むセンサ電子ブロック２PAとを備えている。なお、図８中のＦＬは照明負荷（図では環形蛍光ランプ）である。
【０００３】
この種の照明装置では、センサ電子ブロック２PAは照明器具１PAの下端中央に配置され、センサ動作機能に方向性を持たないようになっている。セード１２PAには、ランプイメージが出ないように不透明で透光性の材料で構成される。熱線センサの人感感知性能を良くするために、センサ電子ブロック２PAの一部をセード１２PAの下端中央から外部に露出させる構成が採られる。明るさセンサの受光量を確保するために、セード１２PAの下端中央から外部に露出した熱線センサのレンズで光を明るさセンサの受光面に集光する構成が採られる。
【０００４】
また、センサを使用する点灯モードまたは連続点灯モードなどへのモードの切替えを、照明装置の電源オン／オフ用の壁スイッチを用いて行う照明装置では、センサ電子ブロックのレンズを通して光を射出する発光素子によって点灯モードを示す構成が採られている。そして、その発光素子の点灯は、熱線センサの反応時または連続点灯モード時などに実行される。
【０００５】
【発明が解決しようとする課題】
しかしながら、上記従来の照明装置では、センサ電子ブロックの陰が照明器具の下端中央に必ず生じるので、照明装置の直下が暗くなるとともに、ランプイメージも悪くなるという課題がある。
【０００６】
この課題を解決するためには、熱線を比較的通しやすいポリエチレンなどの材料を用いてセードを作製し、このセード内部にセンサ電子ブロック全体を収納する方法が考えられる。
【０００７】
しかし、従来のセンサ電子ブロック全体をセード内部に収納した場合には、明るさセンサに受光される受光量が少なくなるほか、点灯モードを示す発光素子が点灯しても周囲温度が高すぎてその発光の有無を視認することができないなどの別の課題が生じる。
【０００８】
また、点灯モードの表示については、例えば２灯用照明器具において、異なる２つの色を持つランプを照明器具に搭載し、各々のランプを別々に各モードで点灯させるという案も考えられる。しかし、この場合、片側のランプが常に消灯されるので、効率が悪くなる。
【０００９】
本発明は、上記事情に鑑みてなされたものであり、センサ電子ブロック全体をセード内部に収納しても、明るさセンサの受光量が少なくならないようにしうる照明装置を提供することを目的とする。
【００１０】
【課題を解決するための手段】
上記課題を解決するための請求項１記載の発明は、照明負荷およびこれを内部に収納するセードを備えた照明器具と、センサ電子ブロックとにより構成され、センサ電子ブロック全体がセード内部に収納される照明装置であって、センサ電子ブロックは、照明負荷の制御に利用される明るさセンサと、明るさセンサを一の面に実装するプリント基板と、このプリント基板の一の面に実装される熱線センサと、この熱線センサに組み付けられる熱線センサ用レンズと、明るさセンサおよび熱線センサを内部に収納する外郭とを備え、この外郭は、一の方向に開口を有する箱状に形成され明るさセンサの検知面を一の方向に向けてこれを収納するためのケースと、このケースの開口を閉塞する箱状であり底部に孔が形成されたカバーとにより構成され、カバーの孔から熱線センサ用レンズが外郭の外部に露出し、ケースおよびカバーのうち、少なくともカバーが透明になっていることを特徴とする。
【００１２】
請求項２記載の発明は、請求項１記載の照明装置において、外郭は、熱線センサの人体検知範囲を所定範囲内の任意の方向に向けるための可動機構を介して照明器具に取り付けられ、可動機構を構成する機構部が外郭に設けられていることを特徴とする。
【００１３】
請求項３記載の発明は、請求項１記載の照明装置において、照明器具は、照明負荷が取り付けられる器具本体と、これに取り付けられ照明負荷を覆う不透明で透光性のセードとにより構成され、センサ電子ブロックはセード内部に収納され器具本体に取り付けられることを特徴とする。
【００１４】
請求項４記載の発明は、請求項１記載の照明装置において、センサ電子ブロックは、プリント基板の一の面に実装され点灯モードを示す発光素子を有し、照明器具は、照明負荷が取り付けられる器具本体と、これに取り付けられ照明負荷を覆う不透明で透光性のセードとにより構成され、センサ電子ブロックはセード内部に収納され器具本体に取り付けられることを特徴とする。
【００１５】
請求項５記載の発明は、請求項４記載の照明装置において、点灯モードを示す発光素子は、明るさセンサを除く電子部品と外郭とによって囲まれるようにプリント基板に実装されていることを特徴とする。
【００１６】
請求項６記載の発明は、請求項４記載の照明装置において、センサ電子ブロックは、セードの中央付近が焦点となるように、発光素子からの点灯モードを示すための光を集光する集光レンズを有することを特徴とする。
【００１７】
請求項７記載の発明は、請求項６記載の照明装置において、集光レンズはカバーと一体に形成されていることを特徴とする。
【００１８】
請求項８記載の発明は、請求項６記載の照明装置において、集光レンズは熱線センサ用レンズと一体に形成されていることを特徴とする。
【００１９】
請求項９記載の発明は、請求項１記載の照明装置において、熱線センサ用レンズは着色されていることを特徴とする。
【００２０】
【発明の実施の形態】
図１は本発明に係る一実施形態の照明装置に具備されるセンサ電子ブロックの斜視図、図２は本実施形態の照明装置の断面図、図３は図１のセンサ電子ブロックを一の方向から見た図、図４は図１のセンサ電子ブロックの断面図、図５，図６はセンサ電子ブロックの可動機構の説明図である。
【００２１】
本実施形態の照明装置は、図２に示すように、器具本体１１およびセード１２により構成される照明器具１と、この照明器具１に取り付けられるセンサ電子ブロック２とを備えている。
【００２２】
器具本体１１は、天井面に取り付けられ天井面から下方に伸びる筒状の側壁を有する器体１１１と、この器体１１１の下面に着脱自在に取り付けられる照明負荷（図２の例では環形蛍光ランプ）ＦＬと、器体１１１内に収納され、センサ電子ブロック２からの出力を利用して、照明負荷ＦＬの制御（点灯または消灯制御など）を行ういわゆる放電灯点灯装置（図示せず）と、器体１１１の下面中央部に取り付けられる断面コ字状で下方に凸の支持部材１１２と、この支持部材１１２の下方先端に取り付けられ可動機構ブロックを構成する格納部１１３および枠部１１４とにより構成されている。なお、これら格納部１１３および枠部１１４の具体構造については後述する。
【００２３】
セード１２は、不透明で、透光性の樹脂（例えば熱線を比較的通しやすいポリエチレンなど）により、器具本体１１に取り付けられた照明負荷ＦＬ全体を内部に収納するドーム状に形成され、開口側で器具本体１１の器体１１１に着脱自在に取り付けられる。
【００２４】
センサ電子ブロック２は、図１に示すように、人体の動きを感知するための熱線センサ２００および周囲の明るさを検知するための明るさセンサ２０１などが一の面に実装されたプリント基板２０と、このプリント基板２０を内部に収納する外郭となるケース２１およびカバー２２と、熱線センサ２００の検知面の前面に直接組み付けられる熱線センサ用レンズ２３とを備えている。
【００２５】
プリント基板２０には、熱線センサ２００が中央に実装され、この周囲に、明るさセンサ２０１、点灯モードを示す例えばＬＥＤなどの発光素子２０２、および他の電子部品などが実装されている。
【００２６】
ここで、本実施形態では、上述の放電灯点灯装置は、図略のケーブルなどを介してセンサ電子ブロック２と接続されており、熱線センサ２００および明るさセンサ２０１の両検出結果を適宜利用して、各種モードで照明負荷ＦＬの制御を行うほか、点灯モードを示すべく、発光素子２０２の点灯および消灯制御も行う。この発光素子２０２の具体制御については、例えば、センサを使用する点灯モードにおいて熱線センサ２００が人体の動きを検知したとき、またはセンサを使用しない連続点灯モードのときなど、所定時に発光素子２０２を点灯させる制御が実行される。なお、センサを使用する点灯モードまたは連続点灯モードなどへのモードの切替えは、例えば、本照明装置の電源オン／オフ用の壁スイッチまたはリモコンなどを通じて行われる。
【００２７】
また、発光素子２０２は、図１，図３に示すように、明るさセンサ２０１を除く、熱線センサ２００、他の電子部品（例えば電解コンデンサなどの発光素子２０２と同程度の高さを持つもの）２０３，２０４および外郭によって囲まれている。このように、明るさセンサ２０１から離して、発光素子２０２の周りをこれと同程度の高さの電子部品で囲むことにより、発光素子２０２の光が明るさセンサ２０１に影響しないようにその光を遮ることができる。
【００２８】
ケース２１は、図１および図４に示すように、樹脂などにより、一の方向（図２では下方）に開口を有する椀状（箱状かつ半球状）に形成され、熱線センサ２００および明るさセンサ２０１の検知面を一の方向に向けてこれらを収納するためのものである。
【００２９】
カバー２２は、樹脂などにより椀状に形成され、開口側でケース２１の開口を閉塞するものである。すなわち、ケース２１の開口縁部２１ａは、当該開口縁部２１ａの外周側が一段高くなった段差を有する一方、カバー２２の開口縁部２２ａは、当該開口縁部２２ａの内周側が一段高くなった段差を有し、これら開口縁部２１ａ，２２ａが互いに嵌合することにより、ケース２１およびカバー２２が互いに固定されて球状の外郭を構成する。
【００３０】
そして、これらケース２１およびカバー２２のうち、少なくともカバー２２が透明になっており、この透明のカバー２２内に到来する光が外郭内に収納された明るさセンサ２０１によって受光されるようになっている。
【００３１】
他方、熱線センサ２００については、この前面に組み付けられた熱線センサ用レンズ２３が外郭の外部に露出するように、カバー２２の底部に孔２２ｂが形成されている。また、カバー２２には、セード１２の中央付近が焦点となるように（図２（ｂ）に示す射出光Ｌ参照）、発光素子２０２からの点灯モードを示すための光を集光する集光レンズ部２２ｃが、発光素子２０２の光の射出方向前方の位置に一体に設けられ、その集光レンズ部２２ｃを除く孔２２ｂの周りに、クレータ状に盛り上がる突条部２２ｄが形成されている。
【００３２】
ケース２１の外壁には、上記可動機構ブロックとともに、熱線センサ２００の人体検知範囲を所定範囲内の任意の方向に向けるための可動機構を構成する円柱状の突起２１ｂが、一対同軸となるように開口面の半径方向外向きに一体成形されている。
【００３３】
そして、図５に示すように、可動機構ブロックの格納部１１３は、樹脂などによりケース２１を収納する椀状に形成され、各突起２１ｂに対応し、開口縁部から内壁極点側に伸びる溝１１３ａを有している。また、それらの各開口縁部の外壁側には、ねじ止め用の穴１１３ｂを有する耳部１１３ｃが連設されている。他方、枠部１１４は、樹脂などにより、格納部１１３の開口縁部に対応する枠状に形成され、格納部１１３の各溝１１３ａに連通する溝１１４ａを内壁に有している。また、それらの各溝１１４ａのある外壁側には、ねじ止め用の穴１１４ｂを有する耳部１１４ｃが連設されている。
【００３４】
次に、本実施形態の特徴となるセンサ電子ブロック２の組立ておよび照明器具１への取付けの手順について説明する。
【００３５】
まず、実装済みのプリント基板２０を用意して、これをケース２１内の所定位置に配置する。続いて、プリント基板２０の発光素子２０２の前方に集光レンズ部２２ｃが来るようにしながら、ケース２１およびカバー２２を、開口縁部２１ａ，２２ａで嵌合して互いに固定する。これにより、図１に示すセンサ電子ブロック２が得られる。なお、ケース２１およびカバー２２の固定に接着剤を使用するようにしてもよい。
【００３６】
この後、センサ電子ブロック２の各突起２１ｂを格納部１１３の溝１１３ａに填め込みながら、格納部１１３内にセンサ電子ブロック２のケース２１部分を収納する。続いて、格納部１１３の開口縁部上に枠部１１４を載置して、ねじを用いて格納部１１３と枠部１１４とをねじ止めする。
【００３７】
これにより、図６に示すように、センサ電子ブロック２が可動機構ブロック内に可動状態で取り付けられることになるから、枠部１１４の開口縁部およびカバー２２の突条部２２ｄと、各組みの突起２１ｂおよび溝１１３ａ，１１４ａとにより規制される所定範囲内の任意の方向に、熱線センサ２００の人体検知範囲を向けることができる。なお、図６中の矢印は可動方向を示す。
【００３８】
そして、図６に示した一式は、図２に示した支持部材１１２の下方先端に取り付けられて、センサ電子ブロック２全体がセード１２内部に収納されることになる。ここで、図２の例では、センサ電子ブロック２は、セード１２の下端中央の内壁から所定長離間し、かつプリント基板２０の位置が照明負荷ＦＬの下端よりも下方に位置するようにセード１２内部に収納されている。
【００３９】
以上、本実施形態によれば、センサ電子ブロック２全体がセード１２内部に収納されるので、その一部が露出するものよりも、照明器具１の下端中央にセンサ電子ブロック２の陰を生じ難くすることができるから、照明装置の直下が暗くならないようにすることができ、ランプイメージが悪くならないようにすることができる。
【００４０】
また、明るさセンサ２０１の受光面周り全てが透明のカバー２２で覆われるので、明るさセンサ２０１などをカバー２２で保護することができるとともに、セード１２を通過して内部に入ってくる光を効率的に集光することができる。
【００４１】
熱線センサ２００に対しては、その前面に組み付けられた熱線センサ用レンズ２３を外郭の外部に露出させるための孔２２ｂがカバー２２に形成されるから、熱線センサ２００の人体の感知性能を損なわずに、熱線センサ２００をセンサ電子ブロック２内に収納することができる。また、熱線センサ２００の感度調整のために任意の色を選択して熱線センサ用レンズ２３に着色することができる。
【００４２】
また、点灯モードを示す発光素子２０２から照射された光が集光レンズ部２２ｃによってセード１２の中央付近に集光することになるので、照明負荷ＦＬの点灯時でも発光素子２０２から照射された光を容易に視認することができる。
【００４３】
また、発光素子２０２の周りを明るさセンサ２０１を除く電子部品などで囲むので、明るさセンサ２０１への発光素子２０２の光による影響を低減することができる。
【００４４】
さらに、可動機構によって、熱線センサ２００の人体検知範囲を所定範囲内の任意の方向に向けることができるから、利用者の生活環境に適応的に熱線センサ２００を作動させることができ、熱線センサによる照明装置の動作の向上を図ることができる。
【００４５】
なお、本実施形態では、集光レンズ部２２ｃがカバー２２に一体成形されているが、これに限らず、図７に示すように、熱線センサ用レンズ２３’に集光レンズ部２２ｃ’が一体成形される構成でもよい。この場合も、簡単な構成で、点灯モードを示す発光素子が点灯してもその発光の有無を視認することができないという問題を解決することができる。
【００４６】
【発明の効果】
以上のことから明らかなように、請求項１記載の発明は、照明負荷およびこれを内部に収納するセードを備えた照明器具と、センサ電子ブロックとにより構成され、センサ電子ブロック全体がセード内部に収納される照明装置であって、センサ電子ブロックは、照明負荷の制御に利用される明るさセンサと、明るさセンサを一の面に実装するプリント基板と、このプリント基板の一の面に実装される熱線センサと、この熱線センサに組み付けられる熱線センサ用レンズと、明るさセンサおよび熱線センサを内部に収納する外郭とを備え、この外郭は、一の方向に開口を有する箱状に形成され明るさセンサの検知面を一の方向に向けてこれを収納するためのケースと、このケースの開口を閉塞する箱状であり底部に孔が形成されたカバーとにより構成され、カバーの孔から熱線センサ用レンズが外郭の外部に露出し、ケースおよびカバーのうち、少なくともカバーが透明になっているので、センサ電子ブロックの一部がセードの外部に露出するものよりも、照明負荷の一の照明方向にセンサ電子ブロックの陰を生じ難くすることができるから、照明装置のその方向が暗くならないようにすることができ、ランプイメージが悪くならないようにすることができるほか、センサ電子ブロック全体をセード内部に収納しても、明るさセンサの受光量が少なくならないようにすることができる。また、熱線センサの人体の感知性能を損なわずに、熱線センサをセンサ電子ブロック内に収納することができる。
【００４８】
請求項２記載の発明は、請求項１記載の照明装置において、外郭は、熱線センサの人体検知範囲を所定範囲内の任意の方向に向けるための可動機構を介して照明器具に取り付けられ、可動機構を構成する機構部が外郭に設けられているので、利用者の生活環境に適応的に熱線センサを作動させることができ、熱線センサによる照明装置の動作の向上を図ることができる。
【００４９】
請求項３記載の発明は、請求項１記載の照明装置において、照明器具は、照明負荷が取り付けられる器具本体と、これに取り付けられ照明負荷を覆う不透明で透光性のセードとにより構成され、センサ電子ブロックはセード内部に収納され器具本体に取り付けられるので、センサ電子ブロックがセードの内壁から離間するから、照明負荷の一の照明方向にセンサ電子ブロックの陰を好適に生じ難くすることができる。
【００５０】
請求項４記載の発明は、請求項１記載の照明装置において、センサ電子ブロックは、プリント基板の一の面に実装され点灯モードを示す発光素子を有し、照明器具は、照明負荷が取り付けられる器具本体と、これに取り付けられ照明負荷を覆う不透明で透光性のセードとにより構成され、センサ電子ブロックはセード内部に収納され器具本体に取り付けられるのであり、この構成でも請求項１および２記載の発明と同様の効果を奏することができる。
【００５１】
請求項５記載の発明は、請求項４記載の照明装置において、点灯モードを示す発光素子は、明るさセンサを除く電子部品と外郭とによって囲まれるようにプリント基板に実装されているので、明るさセンサへの発光素子の光による影響を低減することができる。
【００５２】
請求項６記載の発明は、請求項４記載の照明装置において、センサ電子ブロックは、セードの中央付近が焦点となるように、発光素子からの点灯モードを示すための光を集光する集光レンズを有するので、照明負荷の点灯時でも発光素子から照射された光を容易に視認することができる。
【００５３】
請求項７記載の発明は、請求項６記載の照明装置において、集光レンズはカバーと一体に形成されているので、照明負荷の点灯時でも発光素子から照射された光を簡単な構成で視認容易にすることができる。
【００５４】
請求項８記載の発明は、請求項６記載の照明装置において、集光レンズは熱線センサ用レンズと一体に形成されているので、照明負荷の点灯時でも発光素子から照射された光を簡単な構成で視認容易にすることができる。
【００５５】
請求項９記載の発明は、請求項１記載の照明装置において、熱線センサ用レンズは着色されているので、その色により熱線センサの感度を調整することができる。
【図面の簡単な説明】
【図１】本発明に係る一実施形態の照明装置に具備されるセンサ電子ブロックの斜視図である。
【図２】本実施形態の照明装置の断面図である。
【図３】図１のセンサ電子ブロックを一の方向から見た図である。
【図４】図１のセンサ電子ブロックの断面図である。
【図５】センサ電子ブロックの可動機構の説明図である。
【図６】センサ電子ブロックの可動機構の説明図である。
【図７】集光レンズ部の他の成形例を示す図である。
【図８】熱線センサおよび明るさを備える従来の照明装置の断面図である。
【符号の説明】
１  照明器具
１１  器具本体
１２  セード
２  センサ電子ブロック
２０  プリント基板
２００  熱線センサ
２０１  明るさセンサ
２０２  発光素子
２１  ケース
２２  カバー
２３  熱線センサ用レンズ
【図１】
0004023108.tif 000002
【図２】
0004023108.tif 000003
【図３】
0004023108.tif 000004
【図４】
0004023108.tif 000005
【図５】
0004023108.tif 000006
【図６】
0004023108.tif 000007
【図７】
0004023108.tif 000008
【図８】
0004023108.tif 000009